(57)【要約】【課題】消費電力を低減するとともに画質の劣化を抑制することができる液晶表示装置の駆動回路およびその駆動方法を提供する。【解決手段】表示制御回路は、所定のタイミングで極性が反転する極性反転信号ＰＯＬを出力する。その極性反転信号ＰＯＬに基づいて、駆動用映像信号Ｖｓと共通電極信号Ｖｃｏｍとが生成される。極性反転信号ＰＯＬの波形は、従来のフレーム期間に相当するサブフレーム期間毎に切り換えられる。第１のサブフレーム期間ＳＦ１から第４のサブフレーム期間ＳＦ４までをブロックフレームＢＦとして、液晶表示装置の動作中、ブロックフレームＢＦが繰り返される。このブロックフレームＢＦ中、第１のサブフレーム期間ＳＦ１と第２のサブフレーム期間ＳＦ２とで３Ｈ反転駆動が行われ、第３のサブフレーム期間ＳＦ３と第４のサブフレーム期間ＳＦ４とで２Ｈ反転駆動が行われる。【選択図】図３
2005345685.tif 000002
【特許請求の範囲】
【請求項１】
表示すべき画像を表わす複数の映像信号をそれぞれ伝達するための複数の映像信号線と、前記複数の映像信号線と交差する複数の走査信号線と、前記複数の映像信号線と前記複数の走査信号線との交差点にそれぞれ対応してマトリクス状に配置された複数のスイッチ素子と、前記複数のスイッチ素子にそれぞれ接続された複数の画素電極と、前記複数の画素電極と対向して設けられた共通電極と、前記映像信号を前記複数の映像信号線に供給する映像信号線駆動回路と、前記複数の走査信号線を選択的に駆動する走査信号線駆動回路と、前記共通電極を駆動する共通電極駆動回路とを備え、前記画素電極と前記共通電極とを含む画素形成部に印加される電圧の極性が各映像信号線につき所定本数の走査信号線毎に反転する表示装置の駆動回路であって、
前記電圧の極性を決定する極性決定手段を備え、
前記極性決定手段は、連続する所定数のフレーム期間を１ブロックフレーム期間としてグループ化することにより得られる各ブロックフレーム期間に、前記所定本数として予め決められた２種類以上の反転周期本数のそれぞれに基づいて前記電圧の極性が反転するフレーム期間が含まれるように、前記電圧の極性を決定し、
前記反転周期本数は、２以上の自然数であることを特徴とする、駆動回路。
【請求項２】
前記極性決定手段は、前記電圧の極性を決定するための極性反転信号を生成し、
前記映像信号線駆動回路は、前記極性反転信号に基づいて前記映像信号を前記複数の映像信号線に供給し、
前記共通電極駆動回路は、前記極性反転信号に基づいて前記共通電極を駆動することを特徴とする、請求項１に記載の駆動回路。
【請求項３】
表示すべき画像を表わす複数の映像信号をそれぞれ伝達するための複数の映像信号線と、前記複数の映像信号線と交差する複数の走査信号線と、前記複数の映像信号線と前記複数の走査信号線との交差点にそれぞれ対応してマトリクス状に配置された複数のスイッチ素子と、前記複数のスイッチ素子にそれぞれ接続された複数の画素電極と、前記複数の画素電極と対向して設けられた共通電極と、前記映像信号を前記複数の映像信号線に供給する映像信号線駆動回路と、前記複数の走査信号線を選択的に駆動する走査信号線駆動回路とを備え、前記画素電極と前記共通電極とを含む画素形成部に印加される電圧の極性が各映像信号線につき所定本数の走査信号線毎に反転するとともに各走査信号線につき映像信号線１本毎に反転する表示装置の駆動回路であって、
前記電圧の極性を決定する極性決定手段を備え、
前記極性決定手段は、連続する所定数のフレーム期間を１ブロックフレーム期間としてグループ化することにより得られる各ブロックフレーム期間に、前記所定本数として予め決められた２種類以上の反転周期本数のそれぞれに基づいて前記電圧の極性が反転するフレーム期間が含まれるように、前記電圧の極性を決定し、
前記反転周期本数は、２以上の自然数であることを特徴とする、駆動回路。
【請求項４】
前記極性決定手段は、前記電圧の極性を決定するための極性反転信号を生成し、
前記映像信号線駆動回路は、前記極性反転信号に基づいて前記映像信号を前記複数の映像信号線に供給することを特徴とする、請求項３に記載の駆動回路。
【請求項５】
前記極性決定手段は、前記ブロックフレーム期間において各画素形成部に印加される前記電圧の極性が正になるフレーム期間の数と負になるフレーム期間の数とが同じになるように前記電圧の極性を決定することを特徴とする、請求項１から４までのいずれか１項に記載の駆動回路。
【請求項６】
前記極性決定手段は、前記複数の走査信号線のうち前記反転周期本数に基づいて正の極性の電圧が印加される前記画素形成部に接続された走査信号線であって前記反転周期本数の１本目に対応する走査信号線が前記フレーム期間毎に異なるように前記電圧の極性を決定することを特徴とする、請求項１から５までのいずれか１項に記載の駆動回路。
【請求項７】
請求項１から６までのいずれか１項に記載の駆動回路を備える液晶表示装置。
【請求項８】
表示すべき画像を表わす複数の映像信号をそれぞれ伝達するための複数の映像信号線と、前記複数の映像信号線と交差する複数の走査信号線と、前記複数の映像信号線と前記複数の走査信号線との交差点にそれぞれ対応してマトリクス状に配置された複数のスイッチ素子と、前記複数のスイッチ素子にそれぞれ接続された複数の画素電極と、前記複数の画素電極と対向して設けられた共通電極と、前記映像信号を前記複数の映像信号線に供給する映像信号線駆動回路と、前記複数の走査信号線を選択的に駆動する走査信号線駆動回路と、前記共通電極を駆動する共通電極駆動回路とを備え、前記画素電極と前記共通電極とを含む画素形成部に印加される電圧の極性が各映像信号線につき所定本数の走査信号線毎に反転する表示装置の駆動方法であって、
連続する所定数のフレーム期間を１ブロックフレーム期間としてグループ化することにより得られる各ブロックフレーム期間に、前記所定本数として予め決められた２種類以上の反転周期本数のそれぞれに基づいて前記電圧の極性が反転するフレーム期間が含まれるように、前記電圧の極性を決定する極性決定ステップを含み、
前記反転周期本数は、２以上の自然数であることを特徴とする、駆動方法。
【請求項９】
表示すべき画像を表わす複数の映像信号をそれぞれ伝達するための複数の映像信号線と、前記複数の映像信号線と交差する複数の走査信号線と、前記複数の映像信号線と前記複数の走査信号線との交差点にそれぞれ対応してマトリクス状に配置された複数のスイッチ素子と、前記複数のスイッチ素子にそれぞれ接続された複数の画素電極と、前記複数の画素電極と対向して設けられた共通電極と、前記映像信号を前記複数の映像信号線に供給する映像信号線駆動回路と、前記複数の走査信号線を選択的に駆動する走査信号線駆動回路とを備え、前記画素電極と前記共通電極とを含む画素形成部に印加される電圧の極性が各映像信号線につき所定本数の走査信号線毎に反転するとともに各走査信号線につき映像信号線１本毎に反転する表示装置の駆動方法であって、
連続する所定数のフレーム期間を１ブロックフレーム期間としてグループ化することにより得られる各ブロックフレーム期間に、前記所定本数として予め決められた２種類以上の反転周期本数のそれぞれに基づいて前記電圧の極性が反転するフレーム期間が含まれるように、前記電圧の極性を決定する極性決定ステップを含み、
前記反転周期本数は、２以上の自然数であることを特徴とする、駆動方法。
【請求項１０】
前記極性決定ステップでは、前記ブロックフレーム期間において各画素形成部に印加される前記電圧の極性が正になるフレーム期間の数と負になるフレーム期間の数とが同じになるように前記電圧の極性が決定されることを特徴とする、請求項８または９に記載の駆動方法。
【請求項１１】
前記極性決定ステップでは、前記複数の走査信号線のうち前記反転周期本数に基づいて正の極性の電圧が印加される前記画素形成部に接続された走査信号線であって前記反転周期本数の１本目に対応する走査信号線が前記フレーム期間毎に異なるように前記電圧の極性が決定されることを特徴とする、請求項８から１０までのいずれか１項に記載の駆動方法。
【発明の詳細な説明】
【技術分野】
【０００１】
本発明は、液晶表示装置の駆動回路および駆動方法に関し、特に、駆動方式として複数ライン反転方式が採用された液晶表示装置において画質劣化の抑制や消費電力の低減を実現するための駆動回路および駆動方法に関する。
【背景技術】
【０００２】
近年、スイッチング素子としてＴＦＴ（Ｔｈｉｎ  Ｆｉｌｍ  Ｔｒａｎｓｉｓｔｏｒ：薄膜トランジスタ）を備えるアクティブマトリクス型液晶表示装置が知られている。この液晶表示装置は、互いに対向する２枚の絶縁性の基板から構成される液晶パネルを備えている。液晶パネルの一方の基板には、走査信号線（ゲートバスライン）と映像信号線（ソースバスライン）とが格子状に設けられ、走査信号線と映像信号線との交差点近傍にＴＦＴが設けられている。ＴＦＴは、走査信号線から分岐しているゲート電極、映像信号線から分岐しているソース電極、およびドレイン電極とから構成される。ドレイン電極は、画像を形成するために基板上にマトリクス状に配置された画素電極と接続されている。また、液晶パネルの他方の基板には、液晶層を介して画素電極との間に電圧を印加するための電極（以下「共通電極」という）が設けられており、画素電極と共通電極と液晶層とによって個々の画素が形成されている（なお、このようにひとつの画素が形成されている領域のことを便宜上「画素形成部」という）。そして、各ＴＦＴのゲート電極が走査信号線からアクティブな走査信号（ゲート信号）を受けたときに当該ＴＦＴのソース電極が映像信号線から受ける映像信号（ソース信号）に基づいて、画素形成部に電圧が印加される。これにより液晶が駆動され、画面上に所望の画像が表示される。
【０００３】
ところで、液晶には、直流電圧が加わり続けると劣化するという性質がある。このため、液晶表示装置では、液晶層には交流電圧が印加される。この液晶層への交流電圧の印加は、各画素形成部に印加する電圧（以下、画素形成部に印加する電圧を「画素電圧」という）の極性を１フレーム期間毎に反転させることによって、すなわち、共通電極の電圧を基準とした場合のソース電極の電圧（映像信号電圧）の極性を１フレーム期間毎に反転させることによって実現されている。また、画素電圧の極性を１フレーム期間毎に反転させるだけでは良好な表示品位が得られないので、ライン反転駆動と呼ばれる駆動方式やドット反転駆動と呼ばれる駆動方式が採用されている。なお、１フレーム期間とは、液晶表示装置の全ての画素形成部に電圧を印加し、１画面分の画像を画面上に表示するための期間である。
【０００４】
ライン反転駆動とは、画素電圧の極性を１フレーム期間毎かつ所定本数の走査信号線毎に反転させる駆動方式である。例えば、画素電圧の極性を１フレーム期間毎かつ２走査信号線毎に反転させる駆動方式は、２Ｈ反転駆動（２ライン反転駆動）と呼ばれている。一方、ドット反転駆動とは、画素電圧の極性を１フレーム期間毎に反転させ、かつ、１フレーム期間内において横（水平）方向に隣接する画素間の極性をも反転させる駆動方式である。画素電圧の極性を所定本数の走査信号線毎に反転させる駆動方式はドット反転駆動にも適用され、例えば、画素電圧の極性を２走査信号線毎に反転させるドット反転駆動は「２Ｈドット反転駆動（２ラインドット反転駆動）」と呼ばれている。これら各駆動方式によって、画素形成部の画素電圧の極性の空間的、時間的変化は以下の例のように異なるものとなる。なお、画素電圧の極性を所定本数の走査信号線毎に反転させるときの所定本数を便宜上「反転周期本数」という。例えば、２Ｈ反転駆動の場合、反転周期本数は「２」である。
【０００５】
図１２から図１５は、各駆動方式が採用されている液晶表示装置において、連続する３フレーム期間（順に、「ｍフレーム目」、「（ｍ＋１）フレーム目」、「（ｍ＋２）フレーム目」とする。）における画素形成部の画素電圧の極性の空間的、時間的変化を示している。なお、説明の便宜上、１行目から６行目までの走査信号線ＧＬ１〜ＧＬ６と１列目から５列目までの映像信号線ＳＬ１〜ＳＬ５との交差点に対応して設けられた画素形成部についてのみ示している。ライン反転駆動の場合には、例えば、２Ｈ反転駆動における画素電圧の極性の変化は図１２に示すようなものとなり、３Ｈ反転駆動における画素電圧の極性の変化は図１３に示すようなものとなる。ドット反転駆動の場合には、例えば、１Ｈドット反転駆動における画素電圧の極性の変化は図１４に示すようなものとなり、２Ｈドット反転駆動における画素電圧の極性の変化は図１５に示すようなものとなる。
【０００６】
図１２から図１５に示したように、ライン反転駆動やドット反転駆動の場合には、画素電圧の極性の空間的、時間的変化は規則的なものとなる。その規則的な極性の変化は画質劣化の原因となっている。このため、４フレーム期間毎に１Ｈ反転駆動と２Ｈ反転駆動とを切り換える駆動方式が採用されている液晶表示装置や、図１６に示すように極性をプラスにする走査信号線を１フレーム期間毎に１本ずつずらす２Ｈ反転駆動が採用されている液晶表示装置もある。
【特許文献１】特開平５−２９９１６号公報
【特許文献２】特開平１１−２８２４３４号公報
【特許文献３】特開２００２−１４９１１７号公報
【発明の開示】
【発明が解決しようとする課題】
【０００７】
ところが、上述のような駆動方式を採用した場合、画素電圧の極性の反転する周期を短くするために駆動回路の駆動周波数を高くする必要がある。このため、消費電力が大きくなっており、また、不要輻射も生じている。さらに、上述したような画素電圧の極性の規則的な変化に起因する画質劣化を抑制するという課題もある。
【０００８】
そこで、本発明では、消費電力を低減するとともに画質の劣化を抑制することができる液晶表示装置の駆動回路およびその駆動方法を提供することを目的とする。
【課題を解決するための手段】
【０００９】
第１の発明は、表示すべき画像を表わす複数の映像信号をそれぞれ伝達するための複数の映像信号線と、前記複数の映像信号線と交差する複数の走査信号線と、前記複数の映像信号線と前記複数の走査信号線との交差点にそれぞれ対応してマトリクス状に配置された複数のスイッチ素子と、前記複数のスイッチ素子にそれぞれ接続された複数の画素電極と、前記複数の画素電極と対向して設けられた共通電極と、前記映像信号を前記複数の映像信号線に供給する映像信号線駆動回路と、前記複数の走査信号線を選択的に駆動する走査信号線駆動回路と、前記共通電極を駆動する共通電極駆動回路とを備え、前記画素電極と前記共通電極とを含む画素形成部に印加される電圧の極性が各映像信号線につき所定本数の走査信号線毎に反転する表示装置の駆動回路であって、
前記電圧の極性を決定する極性決定手段を備え、
前記極性決定手段は、連続する所定数のフレーム期間を１ブロックフレーム期間としてグループ化することにより得られる各ブロックフレーム期間に、前記所定本数として予め決められた２種類以上の反転周期本数のそれぞれに基づいて前記電圧の極性が反転するフレーム期間が含まれるように、前記電圧の極性を決定し、
前記反転周期本数は、２以上の自然数であることを特徴とする。
【００１０】
第２の発明は、第１の発明において、
前記極性決定手段は、前記電圧の極性を決定するための極性反転信号を生成し、
前記映像信号線駆動回路は、前記極性反転信号に基づいて前記映像信号を前記複数の映像信号線に供給し、
前記共通電極駆動回路は、前記極性反転信号に基づいて前記共通電極を駆動することを特徴とする。
【００１１】
第３の発明は、表示すべき画像を表わす複数の映像信号をそれぞれ伝達するための複数の映像信号線と、前記複数の映像信号線と交差する複数の走査信号線と、前記複数の映像信号線と前記複数の走査信号線との交差点にそれぞれ対応してマトリクス状に配置された複数のスイッチ素子と、前記複数のスイッチ素子にそれぞれ接続された複数の画素電極と、前記複数の画素電極と対向して設けられた共通電極と、前記映像信号を前記複数の映像信号線に供給する映像信号線駆動回路と、前記複数の走査信号線を選択的に駆動する走査信号線駆動回路とを備え、前記画素電極と前記共通電極とを含む画素形成部に印加される電圧の極性が各映像信号線につき所定本数の走査信号線毎に反転するとともに各走査信号線につき映像信号線１本毎に反転する表示装置の駆動回路であって、
前記電圧の極性を決定する極性決定手段を備え、
前記極性決定手段は、連続する所定数のフレーム期間を１ブロックフレーム期間としてグループ化することにより得られる各ブロックフレーム期間に、前記所定本数として予め決められた２種類以上の反転周期本数のそれぞれに基づいて前記電圧の極性が反転するフレーム期間が含まれるように、前記電圧の極性を決定し、
前記反転周期本数は、２以上の自然数であることを特徴とする。
【００１２】
第４の発明は、第３の発明において、
前記極性決定手段は、前記電圧の極性を決定するための極性反転信号を生成し、
前記映像信号線駆動回路は、前記極性反転信号に基づいて前記映像信号を前記複数の映像信号線に供給することを特徴とする。
【００１３】
第５の発明は、第１から第４の発明において、
前記極性決定手段は、前記ブロックフレーム期間において各画素形成部に印加される前記電圧の極性が正になるフレーム期間の数と負になるフレーム期間の数とが同じになるように前記電圧の極性を決定することを特徴とする。
【００１４】
第６の発明は、第１から第５の発明において、
前記極性決定手段は、前記複数の走査信号線のうち前記反転周期本数に基づいて正の極性の電圧が印加される前記画素形成部に接続された走査信号線であって前記反転周期本数の１本目に対応する走査信号線が前記フレーム期間毎に異なるように前記電圧の極性を決定することを特徴とする。
【００１５】
第７の発明は、第１から第６までの発明のいずれかの駆動回路を備えていることを特徴とする液晶表示装置である。
【００１６】
第８の発明は、表示すべき画像を表わす複数の映像信号をそれぞれ伝達するための複数の映像信号線と、前記複数の映像信号線と交差する複数の走査信号線と、前記複数の映像信号線と前記複数の走査信号線との交差点にそれぞれ対応してマトリクス状に配置された複数のスイッチ素子と、前記複数のスイッチ素子にそれぞれ接続された複数の画素電極と、前記複数の画素電極と対向して設けられた共通電極と、前記映像信号を前記複数の映像信号線に供給する映像信号線駆動回路と、前記複数の走査信号線を選択的に駆動する走査信号線駆動回路と、前記共通電極を駆動する共通電極駆動回路とを備え、前記画素電極と前記共通電極とを含む画素形成部に印加される電圧の極性が各映像信号線につき所定本数の走査信号線毎に反転する表示装置の駆動方法であって、
連続する所定数のフレーム期間を１ブロックフレーム期間としてグループ化することにより得られる各ブロックフレーム期間に、前記所定本数として予め決められた２種類以上の反転周期本数のそれぞれに基づいて前記電圧の極性が反転するフレーム期間が含まれるように、前記電圧の極性を決定する極性決定ステップを含み、
前記反転周期本数は、２以上の自然数であることを特徴とする。
【００１７】
第９の発明は、表示すべき画像を表わす複数の映像信号をそれぞれ伝達するための複数の映像信号線と、前記複数の映像信号線と交差する複数の走査信号線と、前記複数の映像信号線と前記複数の走査信号線との交差点にそれぞれ対応してマトリクス状に配置された複数のスイッチ素子と、前記複数のスイッチ素子にそれぞれ接続された複数の画素電極と、前記複数の画素電極と対向して設けられた共通電極と、前記映像信号を前記複数の映像信号線に供給する映像信号線駆動回路と、前記複数の走査信号線を選択的に駆動する走査信号線駆動回路とを備え、前記画素電極と前記共通電極とを含む画素形成部に印加される電圧の極性が各映像信号線につき所定本数の走査信号線毎に反転するとともに各走査信号線につき映像信号線１本毎に反転する表示装置の駆動方法であって、
連続する所定数のフレーム期間を１ブロックフレーム期間としてグループ化することにより得られる各ブロックフレーム期間に、前記所定本数として予め決められた２種類以上の反転周期本数のそれぞれに基づいて前記電圧の極性が反転するフレーム期間が含まれるように、前記電圧の極性を決定する極性決定ステップを含み、
前記反転周期本数は、２以上の自然数であることを特徴とする。
【００１８】
第１０の発明は、第８の発明および第９の発明において、
前記極性決定ステップでは、前記ブロックフレーム期間において各画素形成部に印加される前記電圧の極性が正になるフレーム期間の数と負になるフレーム期間の数とが同じになるように前記電圧の極性が決定されることを特徴とする。
【００１９】
第１１の発明は、第８から第１０の発明において、
前記極性決定ステップでは、前記複数の走査信号線のうち前記反転周期本数に基づいて正の極性の電圧が印加される前記画素形成部に接続された走査信号線であって前記反転周期本数の１本目に対応する走査信号線が前記フレーム期間毎に異なるように前記電圧の極性が決定されることを特徴とする。
【発明の効果】
【００２０】
上記第１の発明によれば、ライン反転駆動が採用された表示装置の駆動回路において、各ブロックフレーム期間には、２種類以上の反転周期本数のそれぞれに基づいて画素電圧の極性が反転するフレーム期間が含まれる。反転周期本数は２以上の自然数であり、各ブロックフレーム期間において、例えば３Ｈ反転駆動が行われるフレーム期間と２Ｈ反転駆動が行われるフレーム期間とが交互に繰り返される。このため、従来より行われている１Ｈ反転駆動、２Ｈ反転駆動、１Ｈ反転駆動と２Ｈ反転駆動とを組み合わせた駆動等の駆動方式よりも画素電圧の極性の反転する周期が長くなる。これにより、駆動回路の駆動周波数が低減されるので、液晶の交流駆動に起因する消費電力の増加の抑制や不要輻射の低減が可能となる。また、画素電圧の極性の時間的変化が従来よりも複雑なものとなる。これにより、画素電圧の極性の規則的な変化に起因する画質の劣化が抑制される。
【００２１】
上記第２の発明によれば、映像信号線駆動回路と共通電極駆動回路とが極性決定手段によって生成された極性反転信号に基づいて動作することにより、上記第１の発明と同様の効果を奏する駆動回路が実現される。
【００２２】
上記第３の発明によれば、ドット反転駆動が採用された表示装置の駆動回路において、各ブロックフレーム期間には、２種類以上の反転周期本数のそれぞれに基づいて画素電圧の極性が反転するフレーム期間が含まれる。これにより、画質の劣化を効果的に抑制しつつ、上記第１の発明と同様の効果を奏するドット反転駆動方式の表示装置の駆動回路が実現される。
【００２３】
上記第４の発明によれば、映像信号線駆動回路が極性決定手段によって生成された極性反転信号に基づいて動作することにより、上記第３の発明と同様の効果を奏するドット反転駆動方式の表示装置の駆動回路が実現される。
【００２４】
上記第５の発明によれば、各画素形成部に正の極性の電圧が印加される期間の長さと負の極性の電圧が印加される期間の長さとが同じになる。これにより、液晶の劣化を抑止しつつ、上記第１から第４の発明と同様の効果を奏する駆動回路が実現される。
【発明を実施するための最良の形態】
【００２５】
以下、添付図面を参照しつつ本発明の実施形態について説明する。
【００２６】
＜１  第１の実施形態＞
＜１．１  全体の構成および動作＞
図１は、本発明の第１の実施形態に係る液晶表示装置の全体構成を示すブロック図である。この液晶表示装置は、表示制御回路２００と映像信号線駆動回路４００と走査信号線駆動回路３００と液晶パネル５００とを備えている。液晶パネル５００の内部には、複数の走査信号線ＧＬ１〜ＧＬｍと複数の映像信号線ＳＬ１〜ＳＬｎとが互いに格子状に設けられており、その複数の走査信号線と映像信号線との交差点にそれぞれ対応してＴＦＴ等のスイッチ素子５１が設けられている。スイッチ素子５１は画素電極５２に接続され、画素電極５２と対向して共通電極５３が設けられている。画素電極５２と共通電極５３との間には液晶層があり、画素電極５２と共通電極５３と液晶層等とによってひとつの画素形成部が構成されている。画素形成部には画素容量が形成されており、画素容量には画素値を示す電圧が保持される。走査信号線ＧＬ１〜ＧＬｍは走査信号線駆動回路３００と接続され、 映像信号線ＳＬ１〜ＳＬｎは映像信号線駆動回路４００と接続されている。なお、本説明では、ｍ本の走査信号線とｎ本の映像信号線とが設けられているものとする。また、本実施形態では、駆動方式にはライン反転駆動が採用されている。
【００２７】
表示制御回路２００は、画像情報を示す画像データＤｖおよびタイミングを取るための表示制御データＤｃをこの液晶表示装置の外部の信号源から受け取り、画像データＤｖに基づいて画像信号Ｄａを出力する。また、表示制御回路２００は、表示制御データＤｃに基づいて、極性反転信号ＰＯＬと、映像信号線駆動回路４００を制御するためのクロック信号ＣＫ、スタートパルス信号ＳＰ、およびロード信号ＬＤと、走査信号線駆動回路３００を制御するための水平同期信号Ｈｓｙｎ、垂直同期信号Ｖｓｙｎとを出力する。なお、この表示制御回路２００によって極性決定手段が実現されている。
【００２８】
映像信号線駆動回路４００には、液晶パネル５００に表示すべき画像を表すデータが画像信号Ｄａとして供給されると共に、タイミングを示す信号としてクロック信号ＣＫ、スタートパルス信号ＳＰ、ロード信号ＬＤ、および極性反転信号ＰＯＬが供給される。映像信号線駆動回路４００は、これらの信号ＣＫ、ＳＰ、ＬＤ、ＰＯＬに基づき、液晶パネル５００を駆動するための映像信号（以下「駆動用映像信号」ともいう）を生成し、これを液晶パネル５００の各映像信号線に印加する。
【００２９】
走査信号線駆動回路３００は、水平同期信号Ｈｓｙｎおよび垂直同期信号Ｖｓｙｎに基づき、液晶パネル５００における走査信号線を１水平走査期間ずつ順次に選択するために各走査信号線に印加すべき走査信号を生成し、全走査信号線のそれぞれを順に選択するためのアクティブな走査信号の各走査信号線への印加を１垂直走査期間を周期として繰り返す。
【００３０】
表示制御回路２００から出力された極性反転信号ＰＯＬはインバータ７００にも入力され、インバータ７００でその極性が反転される。その極性の反転後の極性反転信号（以下、「反転後極性反転信号」という。）ＰＯＬｒは、インバータ７００から出力され、共通電極駆動回路６００に入力される。共通電極駆動回路６００は、反転後極性反転信号ＰＯＬｒに基づいて所定の電圧レベルの共通電極信号Ｖｃｏｍを出力する。このとき、共通電極信号Ｖｃｏｍの極性は、反転後極性反転信号ＰＯＬｒの極性と同じになる。すなわち、共通電極信号Ｖｃｏｍの極性は、極性反転信号ＰＯＬの極性とは逆の極性となる。
【００３１】
以上のように、走査信号線駆動回路３００から走査信号が、映像信号線駆動回路４００から駆動用映像信号が、共通電極駆動回路６００から共通電極信号Ｖｃｏｍがそれぞれ出力されることにより、外部から受け取った画像データＤｖの表す画像が液晶パネル５００に表示される。
【００３２】
＜１．２  映像信号線駆動回路＞
図２は、本実施形態に係る映像信号線駆動回路４００の詳細な構成を示すブロック図である。映像信号線駆動回路４００には、シフトレジスタ４１と、各映像信号線に対応して設けられたＤ／Ａ（Ｄｉｇｉｔａｌ−ｔｏ−Ａｎａｌｏｇ）変換器４２と、ラッチ回路４３とが含まれている。シフトレジスタ４１は、スタートパルス信号ＳＰとクロック信号ＣＫとを受け取り、そのスタートパルス信号ＳＰに含まれる１つのパルスをクロック信号ＣＫに応じて入力端から出力端へと順次転送する。また、この転送に応じて、サンプリングパルスがＤ／Ａ変換器４２に順次入力される。Ｄ／Ａ変換器４２は、サンプリングパルスを受け取ると、そのときにＤ／Ａ変換器４２に入力されている画像信号Ｄａと極性反転信号ＰＯＬとに基づいて、内部画像信号Ｄを出力する。このとき、出力される内部画像信号Ｄの極性は極性反転信号ＰＯＬの極性と同じになる。Ｄ／Ａ変換器４２から出力された内部画像信号Ｄはラッチ回路４３に入力され、ラッチ回路４３内で保持される。ラッチ回路４３は、表示制御回路２００から出力されるロード信号ＬＤを受け取り、そのロード信号ＬＤのパルスのタイミングに応じて、内部画像信号Ｄを駆動用映像信号として出力する。
【００３３】
以上のように、共通電極信号Ｖｃｏｍは共通電極駆動回路６００で、駆動用映像信号は映像信号線駆動回路４００でそれぞれ生成され、共通電極信号Ｖｃｏｍの極性も駆動用映像信号の極性も極性反転信号ＰＯＬの極性に基づいたものとなる。また、各画素形成部の画素電圧の極性は、画素形成部が接続されている走査信号線が選択されているときの共通電極信号Ｖｃｏｍおよび駆動用映像信号の極性によって決定される。したがって、画素形成部の画素電圧の極性の空間的、時間的変化は極性反転信号ＰＯＬの極性の時間的変化に応じたものとなる。本実施形態では、画素形成部の画素電圧の極性について所望の変化が得られるように、所定のタイミングで極性が反転する極性反転信号ＰＯＬが表示制御回路２００から出力される。
【００３４】
＜１．３  駆動方法＞
次に、図３および図４を参照しつつ、本実施形態に係る液晶表示装置の駆動方法について説明する。図３は、本実施形態における駆動方法について説明するための信号波形図である。図３（ａ）、（ｂ）、（ｃ）は、それぞれ、表示制御回路２００から出力される極性反転信号ＰＯＬ、映像信号線駆動回路４００から出力される駆動用映像信号Ｖｓ、共通電極駆動回路６００から出力される共通電極信号Ｖｃｏｍの波形を示している。本実施形態では、従来のフレーム期間に相当するサブフレーム期間毎に極性反転信号ＰＯＬの波形（時間的変化）が切り換えられる。サブフレーム期間は、「第１のサブフレーム期間ＳＦ１、第２のサブフレーム期間ＳＦ２、第３のサブフレーム期間ＳＦ３、第４のサブフレーム期間ＳＦ４」の順に切り換えられる。そして、この液晶表示装置の動作中、これら第１のサブフレーム期間ＳＦ１から第４のサブフレーム期間ＳＦ４までの期間（以下、便宜上「ブロックフレーム」という。）ＢＦが繰り返される。なお、以下の説明において、各信号の極性および画素電圧の極性は次のように示す。極性反転信号ＰＯＬについては、ハイレベル（Ｈレベル）のときを正極性、ローレベル（Ｌレベル）のときを負極性とする。駆動用映像信号Ｖｓと共通電極信号Ｖｃｏｍについては、それらの共通する基準電位Ｖｂよりも電位が高いときを正極性、それらの共通する基準電位Ｖｂよりも電位が低いときを負極性とする。画素電圧については、駆動用映像信号Ｖｓの示す電位が共通電極信号Ｖｃｏｍの示す電位よりも高いときを正極性、駆動用映像信号Ｖｓの示す電位が共通電極信号Ｖｃｏｍの示す電位よりも低いときを負極性とする。
【００３５】
まず、極性反転信号ＰＯＬの極性の時間的変化について図３（ａ）を参照しつつ説明する。第１のサブフレーム期間ＳＦ１には、最初の３水平走査期間中の極性を正として３水平走査期間毎に極性が反転する。第２のサブフレーム期間ＳＦ２には、最初の３水平走査期間中の極性を負として３水平走査期間毎に極性が反転する。第３のサブフレーム期間ＳＦ３には、最初の２水平走査期間中の極性を正として２水平走査期間毎に極性が反転する。第４のサブフレーム期間ＳＦ４には、最初の２水平走査期間中の極性を負として２水平走査期間毎に極性が反転する。
【００３６】
次に、図３（ｂ）および（ｃ）を参照しつつ、駆動用映像信号Ｖｓおよび共通電極信号Ｖｃｏｍの極性の変化について説明する。上述したとおり、駆動用映像信号Ｖｓは、映像信号線駆動回路４００で生成され、その極性は極性反転信号ＰＯＬの極性と同じになる。一方、共通電極信号Ｖｃｏｍは、共通電極駆動回路６００で生成され、その極性は極性反転信号ＰＯＬの極性とは逆になる。このため、駆動用映像信号Ｖｓおよび共通電極信号Ｖｃｏｍの波形はそれぞれ図３（ｂ）および（ｃ）に示すようなものとなる。このように、駆動用映像信号Ｖｓと共通電極信号Ｖｃｏｍとは、その極性が互いに逆になる。そして、駆動用映像信号Ｖｓの極性が正かつ共通電極信号Ｖｃｏｍの極性が負のときに走査信号線駆動回路３００によって選択された走査信号線に接続された画素形成部の画素電圧の極性は正となる。一方、駆動用映像信号Ｖｓの極性が負かつ共通電極信号Ｖｃｏｍの極性が正のときに走査信号線駆動回路３００によって選択された走査信号線に接続された画素形成部の画素電圧の極性は負となる。
【００３７】
次に、図４を参照しつつ、本実施形態における画素形成部の画素電圧の極性の空間的、時間的変化について説明する。なお、説明の便宜上、１行目から８行目までの走査信号線ＧＬ１〜ＧＬ８と１列目から５列目までの映像信号線ＳＬ１〜ＳＬ５との交差点に対応して設けられている画素形成部についてのみ示している。図４（ａ）〜（ｄ）は、ブロックフレームＢＦ中の第１から第４のサブフレーム期間ＳＦ１〜ＳＦ４における各画素形成部の画素電圧の極性を示している。第１のサブフレーム期間ＳＦ１には、各走査信号線に接続された画素形成部の画素電圧の極性は、１行目から垂直方向に順に（１行目の走査信号線に接続された画素形成部から垂直方向に順に）「＋、＋、＋、−、−、−、＋、＋、＋、−、−、−、・・・」となる。第２のサブフレーム期間ＳＦ２には、その極性は１行目から垂直方向に順に「−、−、−、＋、＋、＋、−、−、−、＋、＋、＋、・・・」となる。第３のサブフレーム期間ＳＦ３には、その極性は１行目から垂直方向に順に「＋、＋、−、−、＋、＋、−、−、・・・」となる。第４のサブフレーム期間ＳＦ４には、その極性は１行目から垂直方向に順に「−、−、＋、＋、−、−、＋、＋、・・・」となる。図４（ｅ）は、図４（ａ）〜（ｄ）に示すサブフレーム期間ＳＦ１〜ＳＦ４を含むブロックフレームの次のブロックフレームＢＦ中の第１のサブフレーム期間ＳＦ１における各画素形成部の画素電圧の極性を示している。図４（ｅ）に示すように、画素電圧の極性は１行目から垂直方向に順に「＋、＋、＋、−、−、−、＋、＋、＋、−、−、−、・・・」となる。これは図４（ａ）に示すものと同じである。
【００３８】
図４（ａ）および（ｂ）に示すように、第１のサブフレーム期間ＳＦ１と第２のサブフレーム期間ＳＦ２とで、従来の３Ｈ反転駆動が行われている。また、図４（ｃ）および（ｄ）に示すように、第３のサブフレーム期間ＳＦ３と第４のサブフレーム期間ＳＦ４とで、従来の２Ｈ反転駆動が行われている。そして、第４のサブフレーム期間ＳＦ４が終了すると、再度第１のサブフレーム期間ＳＦ１となっている。このように、第１のサブフレーム期間ＳＦ１から第４のサブフレーム期間ＳＦ４までをブロックフレームＢＦとして、そのブロックフレームＢＦが繰り返される。これにより、液晶表示装置の動作中、３Ｈ反転駆動と２Ｈ反転駆動とが交互に繰り返される。
【００３９】
＜１．４  効果＞
以上説明したように、本実施形態では、３Ｈ反転駆動と２Ｈ反転駆動とが交互に繰り返される。このため、従来より行われている１Ｈ反転駆動、２Ｈ反転駆動、１Ｈ反転駆動と２Ｈ反転駆動とを組み合わせた駆動等の駆動方式よりも画素電圧の極性の反転する周期が長くなる。これにより、駆動回路の駆動周波数が低減されるので液晶の交流駆動に起因する消費電力の増加を抑制することができる。また、駆動回路の駆動周波数が低くなるので、不要輻射が低減される。このため、不要輻射を低減するための部品等が不要となり、コスト削減や装置の薄型化、軽量化が実現される。さらに、画素電圧の極性の時間的変化が従来よりも複雑なものとなるので、画素電圧の極性の規則的な変化に起因する画質の劣化が抑制される。
【００４０】
＜１．５  変形例＞
＜１．５．１  変形例１＞
上記実施形態では反転周期本数は「３」と「２」であったが、本発明はこれに限定されるものではない。例えば、反転周期本数が「２」と「４」である例について説明する。図５は、上記実施形態の変形例に係る液晶表示装置における画素形成部の画素電圧の極性の空間的、時間的変化を示している。本変形例においても、ブロックフレームＢＦには第１から第４のサブフレーム期間ＳＦ１〜ＳＦ４が含まれている。そして、図５（ａ）および（ｂ）に示すように、第１のサブフレーム期間ＳＦ１と第２のサブフレーム期間ＳＦ２とで、従来の２Ｈ反転駆動が行われている。また、図５（ｃ）および（ｄ）に示すように、第３のサブフレーム期間ＳＦ３と第４のサブフレーム期間ＳＦ４とで、従来の４Ｈ反転駆動が行われている。
【００４１】
本変形例においても、上記実施形態と同様、従来よりも画素電圧の極性の変化する周期が長くなり、その極性の変化の規則性も複雑なものとなる。これにより、消費電力の低減、不要輻射の低減、画質劣化の抑制が実現される。
【００４２】
＜１．５．２  変形例２＞
上記実施形態および上記変形例においてはブロックフレームＢＦに含まれるサブフレーム期間は４期間であったが、本発明はこれに限定されるものではない。以下、ブロックフレームＢＦに含まれるサブフレーム期間が６期間である例について図６を参照しつつ説明する。本変形例においては、ブロックフレームＢＦには第１から第６のサブフレーム期間ＳＦ１〜ＳＦ６が含まれている。図６（ａ）〜（ｆ）はブロックフレームＢＦ中の第１から第６のサブフレーム期間ＳＦ１〜ＳＦ６における各画素形成部の画素電圧の極性を示している。図６（ｇ）は、図６（ａ）〜（ｆ）に示すサブフレーム期間ＳＦ１〜ＳＦ６を含むブロックフレームの次のブロックフレームＢＦ中の第１のサブフレーム期間ＳＦ１における各画素形成部の画素電圧の極性を示している。
【００４３】
図６（ａ）および（ｂ）に示すように、第１のサブフレーム期間ＳＦ１と第２のサブフレーム期間ＳＦ２とで、従来の２Ｈ反転駆動が行われている。また、図６（ｃ）および（ｄ）に示すように、第３のサブフレーム期間ＳＦ３と第４のサブフレーム期間ＳＦ４とで、従来の３Ｈ反転駆動が行われている。さらに、図６（ｅ）および（ｆ）に示すように、第５のサブフレーム期間ＳＦ５と第６のサブフレーム期間ＳＦ６とで、従来の４Ｈ反転駆動が行われている。
【００４４】
以上のように、ブロックフレームＢＦに含まれるサブフレーム期間は４期間に限定されるものではない。また、２種類の駆動方式の組み合わせに限定されるものではない。ブロックフレームＢＦに含まれるサブフレーム期間が６期間以上のものであってもよいし、３種類以上の駆動方式の組み合わせであってもよい。
【００４５】
＜１．５．３  変形例３＞
図７は、上記実施形態のさらに別の変形例に係る液晶表示装置における画素形成部の画素電圧の極性の空間的、時間的変化を示す図である。本変形例においては、ブロックフレームＢＦには第１から第１０のサブフレーム期間ＳＦ１〜ＳＦ１０が含まれている。図７（ａ）〜（ｊ）はブロックフレームＢＦ中の第１から第１０のサブフレーム期間ＳＦ１〜ＳＦ１０における各画素形成部の画素電圧の極性を示し、図７（ｋ）は図７（ａ）〜（ｊ）に示すサブフレーム期間ＳＦ１〜ＳＦ１０を含むブロックフレームＢＦの次のブロックフレームＢＦ中の第１のサブフレーム期間ＳＦ１における各画素形成部の画素電圧の極性を示している。
【００４６】
図７（ａ）〜（ｄ）に示すように、第１から第４のサブフレーム期間ＳＦ１〜ＳＦ４には、極性をプラスにする走査信号線をサブフレーム期間毎に１本ずつずらす２Ｈ反転駆動が行われている。また、図７（ｅ）〜（ｊ）に示すように、第５から第１０のサブフレーム期間ＳＦ５〜ＳＦ１０には、極性をプラスにする走査信号線をサブフレーム期間毎に１本ずつずらす３Ｈ反転駆動が行われている。なお、極性をプラスにする走査信号線について、サブフレーム期間毎にずらす本数は１本に限定されるものではなく、２本以上であってもよい。
【００４７】
上記変形例のように画素形成部の画素電圧の極性を変化させることにより、上記第１の実施形態と同様であるところの２Ｈ反転駆動と３Ｈ反転駆動との組み合わせであっても、極性の空間的、時間的変化をより複雑なものとすることができる。
【００４８】
＜２  第２の実施形態＞
＜２．１  全体の構成および動作＞
図８は、本発明の第２の実施形態に係る液晶表示装置の全体構成を示すブロック図である。図９は、本実施形態における映像信号線駆動回路４００の詳細な構成を示すブロック図である。なお、第１の実施形態と同様の構成のものについては同一の参照符号を付し、説明を省略する。本実施形態では、第１の実施形態とは異なり、駆動方式にはドット反転駆動が採用されている。
【００４９】
本実施形態に係る液晶表示装置には、第１の実施形態とは異なり、図１に示している共通電極駆動回路６００やインバータ７００は設けられていない。表示制御回路２００が一定の電圧レベルを示す共通電極信号Ｖｃｏｍを出力し、その共通電極信号Ｖｃｏｍが共通電極に供給される。このため、共通電極の電位は一定に固定される。また、映像信号線駆動回路４００には、図９に示すようにインバータ４４が設けられている。より詳しくは、隣接する２つのＤ／Ａ変換器４２に入力される極性反転信号ＰＯＬの極性が逆になるようにインバータ４４が設けられている。
【００５０】
＜２．２  駆動方法＞
次に、図１０および図１１を参照しつつ、本実施形態に係る液晶表示装置の駆動方法について説明する。図１０は、本実施形態における駆動方法について説明するための信号波形図である。図１０（ａ）、（ｂ）、（ｃ）は、それぞれ、表示制御回路２００から出力される極性反転信号ＰＯＬ、映像信号線駆動回路４００から奇数列目の映像信号線に供給される駆動用映像信号Ｖｓ１、映像信号線駆動回路４００から偶数列目の映像信号線に供給される駆動用映像信号Ｖｓ２の波形を示している。図１０に示すように、本実施形態においても、ブロックフレームＢＦには第１から第４のサブフレーム期間ＳＦ１〜ＳＦ４が含まれており、液晶表示装置の動作中、このブロックフレームＢＦが繰り返される。また、極性反転信号ＰＯＬの波形はサブフレーム期間毎に切り換えられる。
【００５１】
図１０（ａ）を参照しつつ、極性反転信号ＰＯＬの極性の時間的変化について説明する。第１のサブフレーム期間ＳＦ１には、最初の２水平走査期間中の極性を正として２水平走査期間毎に極性が反転する。第２のサブフレーム期間ＳＦ２には、最初の２水平走査期間中の極性を負として２水平走査期間毎に極性が反転する。第３のサブフレーム期間ＳＦ３には、最初の３水平走査期間中の極性を正として３水平走査期間毎に極性が反転する。第４のサブフレーム期間ＳＦ４には、最初の３水平走査期間中の極性を負として３水平走査期間毎に極性が反転する。
【００５２】
次に、図１０（ｂ）および（ｃ）を参照しつつ、駆動用映像信号Ｖｓ１、Ｖｓ２の極性の時間的変化について説明する。上述したとおり、映像信号線駆動回路４００には、隣接する２つのＤ／Ａ変換器４２に入力される極性反転信号ＰＯＬの極性が逆になるようにインバータ４４が設けられている。本実施形態では、偶数列目の映像信号線に対応するＡ／Ｄ変換器４２にのみインバータ４４が接続して設けられている。このため、偶数列目の映像信号線に対応するＡ／Ｄ変換器４２に入力される極性反転信号ＰＯＬの極性は、表示制御回路２００から出力される極性反転信号ＰＯＬの極性とは逆の極性となる。その結果、奇数列目の映像信号線に供給される駆動用映像信号Ｖｓ１および偶数列目の映像信号線に供給される駆動用映像信号Ｖｓ２の波形は、それぞれ図１０（ｂ）、（ｃ）に示すようなものとなる。また、共通電極信号Ｖｃｏｍの波形は図１０（ｂ）および（ｃ）において点線で示すようなものであるので、共通電極の電位は固定される。これにより、駆動用映像信号の極性が正であるときに走査信号線駆動回路３００によって選択された走査信号線に接続された画素形成部の画素電圧の極性は正になる。一方、駆動用映像信号Ｖｓの極性が負であるときに走査信号線駆動回路３００によって選択された走査信号線に接続された画素形成部の画素電圧の極性は負になる。
【００５３】
次に、図１１を参照しつつ、本実施形態における画素形成部の画素電圧の極性の空間的、時間的変化について説明する。なお、説明の便宜上、１行目から８行目までの走査信号線ＧＬ１〜ＧＬ８と１列目から５列目までの映像信号線ＳＬ１〜ＳＬ５との交差点に対応して設けられている画素形成部についてのみ示している。図１１（ａ）〜（ｄ）は、ブロックフレームＢＦ中の第１から第４のサブフレーム期間ＳＦ１〜ＳＦ４における各画素形成部の画素電圧の極性を示している。また、図１１（ｅ）は、図１１（ａ）〜（ｄ）に示すサブフレーム期間ＳＦ１〜ＳＦ４を含むブロックフレームＢＦの次のブロックフレームＢＦ中の第１のサブフレーム期間ＳＦ１における各画素形成部の画素電圧の極性を示している。
【００５４】
まず、奇数列目の映像信号線に接続された画素形成部について説明する。第１のサブフレーム期間ＳＦ１には、各走査信号線に接続された画素形成部の画素電圧の極性は、１行目から垂直方向に順に「＋、＋、−、−、＋、＋、−、−、・・・」となる。第２のサブフレーム期間ＳＦ２には、その極性は１行目から垂直方向に順に「−、−、＋、＋、−、−、＋、＋、・・・」となる。第３のサブフレーム期間ＳＦ３には、その極性は１行目から垂直方向に順に「＋、＋、＋、−、−、−、＋、＋、＋、−、−、−、・・・」となる。第４のサブフレーム期間ＳＦ４には、その極性は１行目から垂直方向に順に「−、−、−、＋、＋、＋、−、−、−、＋、＋、＋、・・・」となる。
【００５５】
次に、偶数列目の映像信号線に接続された画素形成部について説明する。第１のサブフレーム期間ＳＦ１には、各走査信号線に接続された画素形成部の画素電圧の極性は、１行目から垂直方向に順に「−、−、＋、＋、−、−、＋、＋、・・・」となる。第２のサブフレーム期間ＳＦ２には、その極性は１行目から垂直方向に順に「＋、＋、−、−、＋、＋、−、−、・・・」となる。第３のサブフレーム期間ＳＦ３には、その極性は１行目から垂直方向に順に「−、−、−、＋、＋、＋、−、−、−、＋、＋、＋、・・・」となる。第４のサブフレーム期間ＳＦ４には、その極性は１行目から垂直方向に順に「＋、＋、＋、−、−、−、＋、＋、＋、−、−、−、・・・」となる。
【００５６】
以上のように、水平方向に隣接する２つの画素形成部の極性は、どのサブフレーム期間においても逆になっている。すなわち、ドット反転駆動による駆動が行われている。そして、図１１（ａ）および（ｂ）に示すように、第１のサブフレーム期間ＳＦ１と第２のサブフレーム期間ＳＦ２とで、従来の２Ｈドット反転駆動が行われている。また、図１１（ｃ）および（ｄ）に示すように、第３のサブフレーム期間ＳＦ３と第４のサブフレーム期間ＳＦ４とで、従来の３Ｈドット反転駆動が行われている。このようにして、液晶表示装置の動作中、２Ｈドット反転駆動と３Ｈドット反転駆動とが交互に繰り返される。
【００５７】
＜２．３  効果＞
以上説明したように、本実施形態では、２Ｈドット反転駆動と３Ｈドット反転駆動とが交互に繰り返される。このため、上記第１の実施形態と同様、従来より行われている１Ｈ反転駆動、２Ｈ反転駆動、１Ｈ反転駆動と２Ｈ反転駆動とを組み合わせた駆動等の駆動方式よりも画素電圧の極性の変化する周期が長くなる。これにより、液晶の交流駆動に起因する消費電力の増加の抑制や不要輻射の低減が実現される。また、画素電圧の極性の空間的変化が上記第１の実施形態よりも更に複雑なものとなるので、画素電圧の極性の規則的な変化に起因する画質の劣化をより効果的に抑制することができる。さらに、上記第１の実施形態の変形例１から３で示した駆動方法をドット反転駆動にも適用することができ、画素電圧の極性の変化をより複雑なものにすることができる。
【図面の簡単な説明】
【００５８】
【図１】本発明の第１の実施形態に係る液晶表示装置の全体構成を示すブロック図である。
【図２】上記実施形態に係る映像信号線駆動回路の詳細な構成を示すブロック図である。
【図３】上記実施形態における駆動方法について説明するための信号波形図である。
【図４】上記実施形態における画素形成部の画素電圧の極性の空間的、時間的変化について説明するための図である。
【図５】上記実施形態の変形例に係る液晶表示装置の画素形成部の画素電圧の極性の空間的、時間的変化を示している。
【図６】上記実施形態の別の変形例に係る液晶表示装置の画素形成部の画素電圧の極性の空間的、時間的変化を示している。
【図７】上記実施形態のさらに別の変形例に係る液晶表示装置の画素形成部の画素電圧の極性の空間的、時間的変化を示している。
【図８】本発明の第２の実施形態に係る液晶表示装置の全体構成を示すブロック図である。
【図９】上記実施形態に係る映像信号線駆動回路の詳細な構成を示すブロック図である。
【図１０】上記実施形態における駆動方法について説明するための信号波形図である。
【図１１】上記実施形態における画素形成部の画素電圧の極性の空間的、時間的変化について説明するための図である。
【図１２】従来の２Ｈ反転駆動における画素形成部の画素電圧の極性の空間的、時間的変化を示している。
【図１３】従来の３Ｈ反転駆動における画素形成部の画素電圧の極性の空間的、時間的変化を示している。
【図１４】従来の１Ｈドット反転駆動における画素形成部の画素電圧の極性の空間的、時間的変化を示している。
【図１５】従来の２Ｈドット反転駆動における画素形成部の画素電圧の極性の空間的、時間的変化を示している。
【図１６】従来の２Ｈ反転駆動における画素形成部の画素電圧の極性の空間的、時間的変化の別の例を示している。
【符号の説明】
【００５９】
４１…シフトレジスタ
４２…Ｄ／Ａ変換器
４３…ラッチ回路
４４、７００…インバータ
２００…表示制御回路
３００…走査信号線駆動回路
４００…映像信号線駆動回路
５００…液晶パネル
６００…共通電極駆動回路
ＰＯＬ…極性反転信号
Ｖｃｏｍ…共通電極信号
【図１】
2005345685.tif 000003
【図２】
2005345685.tif 000004
【図３】
2005345685.tif 000005
【図４】
2005345685.tif 000006
【図５】
2005345685.tif 000007
【図６】
2005345685.tif 000008
【図７】
2005345685.tif 000009
【図８】
2005345685.tif 000010
【図９】
2005345685.tif 000011
【図１０】
2005345685.tif 000012
【図１１】
2005345685.tif 000013
【図１２】
2005345685.tif 000014
【図１３】
2005345685.tif 000015
【図１４】
2005345685.tif 000016
【図１５】
2005345685.tif 000017
【図１６】
2005345685.tif 000018